(57)【要約】 【課題】  ルッコラの包装体において、ルッコラの鮮度を長期間保つための望ましい、異臭が発生せず、黄化も見られない、ルッコラの鮮度を長期間保つことができるルッコラの包装体を提供する。【解決手段】  有孔合成樹脂フィルムを用いてルッコラを包装したルッコラ入り包装体を平均温度１０〜３０℃の範囲で保存するに当たり、有孔合成樹脂フィルムの開孔面積比率が１×１０−６〜４×１０−５％であり、ルッコラ１００ｇあたりの袋内面積が６００〜１５００ｃｍ２であるルッコラ入り包装体である。【特許請求の範囲】
【請求項１】
有孔合成樹脂フィルムを用いてルッコラを包装したルッコラ入り包装体において、ルッコラ１００ｇあたりの袋内面積が６００〜１５００ｃｍ２であり、前記有孔合成樹脂フィルムの開孔面積比率が１×１０−６〜４×１０−５％であることを特徴とするルッコラ入り包装体。
【請求項２】
ルッコラ１００ｇ当たりの有孔合成樹脂フィルムの酸素透過量が２００〜２５００ｃｃ／ａｔｍ・ｄａｙである請求項１に記載のルッコラ入り包装体。
【請求項３】
有孔合成樹脂フィルムの酸素透過量とルッコラ入り包装体が保存される際の温度との比、酸素透過量／温度が１０〜２５０である請求項１又は２に記載のルッコラ入り包装体。
【請求項４】
有孔合成樹脂フィルムの酸素透過量とルッコラ入り包装体が保存される際の温度との比が、ルッコラを包装後２４時間以降の比が４０〜１８０である請求項１、２又は３に記載のルッコラ入り包装体。
【請求項５】
有孔合成樹脂フィルムが有する孔、キズの平均孔径が２０〜１５０μｍである請求項１、２、３又は４に記載のルッコラ入り包装体。
【発明の詳細な説明】
【技術分野】
【０００１】
本発明はルッコラ入りの包装体に関するものである。
【背景技術】
【０００２】
ルッコラは収穫された後も呼吸作用を持続する。このため収穫後の貯蔵・流通および食するまでの間は、ルッコラの品質劣化を防止することが必要である。ルッコラはその性質上、品質の劣化が早く、鮮度保持の為にポリプロピレンフィルムなどによる密封包装が使用されている。しかし、密封包装されたルッコラは、無酸素状態の雰囲気中にさらされ、嫌気呼吸せざるをえない状態に置かれてしまい、袋を開けたときにはほとんどの包装体で異臭がする。また、ルッコラに含まれるビタミンＣが早く壊れるという問題も指摘されている。
【０００３】
一般の野菜等の青果物に関して、酸素を供給し、鮮度を保つ方法として有孔フィルムを用いる方法が提案されている（特開昭６２−１４８２４７号公報、特開昭６３−１１９６４７号公報等）。これらのフィルムは、開孔面積比率が２×１０−２〜２×１０％であり、これらのフィルムでルッコラを包装しても、ルッコラの品質が低下してしまい、さらには水分の蒸散により萎れやすいといった問題がある。
【特許文献１】特開昭６２−１４８２４７号公報
【特許文献２】特開昭６３−１１９６４７号公報
【発明の開示】
【発明が解決しようとする課題】
【０００４】
本発明の目的は、ルッコラの包装体において、ルッコラの異臭が発生せず、食味の低下、萎れもなく、ルッコラの鮮度、栄養価を長期間保つことができ、市場に陳列された時に見栄えのよいルッコラの包装体を提供する。
【課題を解決するための手段】
【０００５】
有孔合成樹脂フィルムを用いてルッコラを包装したルッコラ入り包装体において、有孔合成樹脂フィルムの開孔面積比率が１×１０−６〜４×１０−５％であり、ルッコラ１００ｇあたりの袋内面積が６００〜１５００ｃｍ２であるルッコラ入り包装体である。
更に好ましい形態としては、ルッコラ１００ｇ当たりのフィルムの酸素透過量が２００〜２５００ｃｃ／ａｔｍ・ｄａｙであり、包装体の保存される温度との比、酸素透過量／温度が１０〜２５０、パック後２４時間以降の比が４０〜１８０であり、合成樹脂フィルムが有する孔、キズの平均孔径が２０〜１５０μｍであり、1つの包装体に有する孔、キズの数が複数個であるルッコラ入り包装体である。
【発明の効果】
【０００６】
本発明に従うと、ルッコラの鮮度を長期間保つことができ、異臭もなく、従って、変色も防止でき、食味の劣化もなく、見栄えの良い商品を最良の状態で提供することができる。また、ビタミンＣの保存についても壊れることなく消費者に提供することができる。
【発明を実施するための最良の形態】
【０００７】
本発明に用いる有孔合成樹脂フィルムとしては、ルッコラの包装に用いることのできるものであればどのようなものであっても差し支えはないが、例えば、無延伸ポリプロピレン、延伸ポリプロピレン、ポリエチレン、ポリ塩化ビニール、生分解性フィルム等が用いられる。これ等以外のフィルムとして、ポリアミド、ポリエステル、ポリカーボネート等のフィルムがある。さらには前述のフィルムの中から選ばれた複合フィルムであっても良く、さらには、これらのフィルム表面にシーラント層を設けたものでも、防曇処理したフィルムであっても何等差し支えはない。
【０００８】
有孔合成樹脂フィルムの厚さは、２０〜６０μｍのものが好ましい。この範囲のフィルムを用いることは、包装体を作成するために要する費用、フィルム強度等の点より好ましい。さらに、これらのフィルムは透明であっても、不透明であっても良く、また表面に印刷を付したものであっても何等差し支えはない。
【０００９】
ルッコラ１００ｇあたりの袋内表面積は、６００〜１５００ｃｍ２が好ましい。ルッコラ１００ｇあたりの袋内表面積が６００ｃｍ２未満であると、袋内のルッコラの密度が高くなり、ルッコラ同士での接触により傷が付き、軟腐しやすくなる恐れがある。また、ルッコラ１００ｇあたり袋内表面積が１５００ｃｍ２を越えると、袋内のルッコラの密度が低くなり、袋内の初期の酸素量も多く、ルッコラの呼吸作用が活発になり黄化しやすくなり、消耗してしまうことになる。またフィルムの使用量が多いため袋のコストも高くなってしまう。
【００１０】
有孔合成樹脂フィルムよりなるルッコラ入り包装体において、有孔合成樹脂フィルムの開孔面積比率は、１×１０−６〜４×１０−５％である。更に好ましくは、７×１０−６〜３×１０−５％の範囲である。有孔合成樹脂フィルムの開孔面積比率が、１×１０−６％未満であれば、常温にてルッコラを保存した場合、異臭が発生する可能性があり、４×１０−５％を越えると、ルッコラの呼吸作用が活発化し、ルッコラの黄化現象、ビタミンＣの低下を引き起こす可能性がある。
【００１１】
ルッコラ１００ｇ当たりの有孔合成樹脂フィルムの酸素透過量が２００〜２５００ｃｃ／ａｔｍ・ｄａｙであることが好ましい。有孔合成樹脂フィルムの酸素透過量がこの範囲にあると、  異臭発生防止、黄化発生防止、ビタミンＣの低下防止の点でより優れている。
【００１２】
本発明のルッコラ入りの包装体を保存する場合、その保存温度は特に限定されないが、平均気温１０〜３０℃の温度範囲で保存されることがより好ましい。ルッコラ入りの包装体を低温の倉庫で保存、又は上記の温度範囲の恒温倉庫で保存しても良いが、平均気温がこの範囲であれば恒温設備を有しない場所で保存しても何ら差し支えがない。ルッコラを上記の温度範囲で保存することにより、例えば、５℃という低温倉庫での保存よりも安く保存することができ、低温設備が必要とならないので保存場所を選ばない。
【００１３】
有孔合成樹脂フィルムの酸素透過量とルッコラ入り包装体が保存される際の温度（この場合の温度とは包装体が保存されている状況での平均気温をいい、複数の保存温度条件で保存された場合は、各保存温度と保存時間の積算値の合計より平均気温を求める。）との比（酸素透過量／温度）は、１０〜２５０が好ましい。１０未満では、保存温度に対して酸素透過量が不足し、異臭を発生させてしまう可能性があり、２５０を越えると黄化現象、ビタミンＣの低下などの消耗を止められず、何れも品質が低下する可能性がある。
【００１４】
ルッコラの包装後２４時間を越えた場合の酸素透過量／温度の比は４０〜１８０が好ましい。２４時間という短時間でこの状態に達する条件に設定することにより、その後のルッコラの鮮度保持期間を延長することができる。
【００１５】
有孔合成樹脂フィルムにおける孔部の平均径は出来るだけ小さいことが望ましく、平均孔径として２０〜１５０μｍ、好ましくは３０〜１００μｍである。平均孔径が２０μｍ未満では有孔合成樹脂フィルムの生産性が低下する恐れがある。平均孔径が１５０μｍを超えると、適正な開孔面積比率を得るに必要な孔数が減少して、鮮度保持の品質精度に問題が生じる恐れがある。
また、孔の形状は、円形や四角または三角形など、どのような形状であってもよく、貫通されたキズなどでも長径方向の径が１５０μｍ以下であれば何等差し支えはないが、円形が開孔作業等の面より望ましい。なお、いびつな形状の孔の開孔面積は、例えば、形状を計算し易い幾つかの形状に分けて面積を算出し、その後各面積の合計を求めて算出する方法でも良い。
【００１６】
ルッコラ用包装袋１袋当たりの孔の個数は、開孔面積比率と平均孔径より算出されるが、できる限り複数個とすることが望ましい。内容物の付着や外的条件、例えば値段表の添付等で孔がふさがれてしまう場合があるので、鮮度を保証するには複数個の孔が好ましく、さらに袋あたり５個以上の孔をもち、孔１個あたりの影響度を２０％以下にすることが望ましい。
【００１７】
ルッコラの包装袋としては、三方シール袋、四方シール袋、チャック付きの袋またはガゼット袋などの形態の袋であっても差し支えなく、さらには、トレー、カップ等にルッコラを充填し、これを包装袋で包装する形態のものであってもよい。
上記の包装袋にルッコラを入れ、包装袋の口を閉じてルッコラ入りの包装体とする。包装袋の口を閉じる方法は特に規定されず、公知の方法を用いることができる。
【実施例】
【００１８】
平均気温は、産地からトラックにて市場に輸送し、市場にて常温で保管し、その後販売店で売られる流通経路を想定して条件を決定した。流通条件Ａは、トラックの温度が１３℃で１０時間輸送し、市場にて３０℃で１０時間保管し、その後販売店にて７℃で４時間経過を想定した。このときの平均気温は１９．１℃である。流通条件Ｂは、トラックの温度が５℃で１０時間輸送し、市場にて２０℃で１０時間保管し、その後販売店にて１０℃で４時間経過を想定した。このときの平均気温は１２．１℃である。流通条件Ｃは、トラックの温度が１５℃で８時間輸送し、市場にて３０℃で１０時間保管し、その後販売店にて２０℃で６時間経過を想定した。このときの平均気温は２２．５℃である。
【００１９】
《実施例１》
内寸が２００ｍｍ×３００ｍｍであり、厚さ３０μｍの延伸ポリプロピレンからなる包装袋に、開孔面積比率が２．１×１０−５％となるように平均孔径８０μｍの孔を５個あけた三方シール袋に、ルッコラを１００ｇ充填した（袋内表面積は２００×３００×２＝１２００００ｍｍ２であるから、ルッコラ１００ｇあたりの袋内表面積は１２００００ｍｍ２すなわち１２００ｃｍ２である。酸素透過量は１１００ｃｃ）。流通条件Ａを経て、７℃で保存し、２４時間後、３日および５日後の鮮度を臭気発生状況、黄化発生状況、ビタミンＣ含量などを評価した。
《実施例２》
内寸が１４０ｍｍ×２５０ｍｍであり、厚さ２５μｍの延伸ポリプロピレンからなる包装袋に、開孔面積比率が５．９×１０−６％となるように平均孔径４２μｍの孔を３個あけた包装袋を用いた（袋内表面積は７００ｃｍ２、酸素透過量は２６０ｃｃ）。ルッコラを１００ｇ充填した。流通条件Ｂを経て、１０℃で保存し、２４時間後、３日および５日後の鮮度を臭気発生状況、黄化発生状況、ビタミンＣ含量などを評価した。
《実施例３》
実施例１と同様の大きさの包装袋とし、厚さ３０μｍの延伸ポリプロピレンを用い、開孔面積比率が３．８×１０−５％となるように平均孔径８５μｍの孔を８個開けた包装袋を用いた。（酸素透過量は１８６０ｃｃ）。ルッコラを１００ｇ充填した。流通条件Ｃを経て、２０℃で保存し、２４時間後、３日および５日後の鮮度を臭気発生状況、黄化発生状況、ビタミンＣ含量などを評価した。
【００２０】
《実施例４》
実施例１と同様の包装袋にルッコラ１００ｇを充填した。流通条件Ｃを経て、２０℃で保存し、２４時間後、３日および５日後の鮮度を臭気発生状況、黄化発生状況、ビタミンＣ含量などを評価した。
《実施例５》
実施例３と同様の包装袋にルッコラ１００ｇを充填した。流通条件Ｂを経て、１０℃で保存し、２４時間後、３日および５日後の鮮度を臭気発生状況、黄化発生状況、ビタミンＣ含量などを評価した。
《実施例６》
実施例１と同様の大きさの包装袋とし、厚さ２５μｍの延伸ポリプロピレンを用い、開孔面積比率が３．９×１０−５％となるような平均孔径１００μｍの孔を６個開けた包装袋を用いた（酸素透過量２３００ｃｃ）。ルッコラを１００ｇ充填した。  流通条件Bを経て、１０℃で保存し、２４時間後、３日および５日後の鮮度を臭気発生状況、黄化発生状況、ビタミンＣ含量などを評価した。
【００２１】
《比較例１》
実施例１と同様の大きさの包装袋とし、厚さ３０μｍの延伸ポリプロピレンを用い、開孔面積比率が８．０×１０−７％となるように平均孔径３５μｍの孔を１個開けた包装袋を用いた（酸素透過量１３０ｃｃ）。ルッコラを１００ｇ充填した。流通条件Ｃを経て、２０℃で保存し、２４時間後、３日および５日後の鮮度を臭気発生状況、黄化発生状況、ビタミンＣ含量などを評価した。
《比較例２》
実施例１と同様の大きさの包装袋とし、厚さ２５μｍの延伸ポリプロピレンを用い、開孔面積比率が５．０×１０−５％となるような平均孔径１６０μｍの孔を３個開けた包装袋を用いた（酸素透過量２９００ｃｃ）。ルッコラを１００ｇ充填した。  流通条件Ｂを経て、１０℃で保存し、２４時間後、３日および５日後の鮮度を臭気発生状況、黄化発生状況、ビタミンＣ含量などを評価した。
《比較例３》
内寸が２５０ｍｍ×４００ｍｍであり、厚さ３０μｍの延伸ポリプロピレンを用い、開孔面積比率が３．７×１０−５％となるような平均孔径８５μｍの孔を１３個開けた包装袋を用いた（表面積２０００ｃｍ２、酸素透過量３０００ｃｃ）。ルッコラを１００ｇ充填した。流通条件Ｃを経て、２０℃で保存し、２４時間後、３日および５日後の鮮度を臭気発生状況、黄化発生状況、ビタミンＣ含量などを評価した。
【００２２】
実施例及び比較例の鮮度などの結果を表１に示す。
【表１】
2007045436.tif 000002